(57)【特許請求の範囲】
【請求項１】
頂部と、底部と、これら頂部及び底部を接続する一対の側壁とを備え、これにより筒状構造を形成しており、前記頂部には複数の開口と手持ち用開口を備えて前記頂部から上方に延出した携行用ハンドル構造とが設けられ、前記開口は離間した二列に形成され、これら開口から前記物品の頂部が突出するように構成され、前記ハンドル構造が、前記開口が成す二列の間に位置しかつ前記開口列間の中央面からずれて配置されて成る、ボトル等の複数の物品を収容するカートン。
【請求項２】
請求項１記載のカートンにおいて、前記ハンドル構造はさらに、該カートンの前記頂部から離れた接続部で互いに折り曲げ可能に接続され上方に立ち上げられたハンドルを形成する一対の隣接したパネルを有することを特徴とするカートン。
【請求項３】
請求項２記載のカートンにおいて、該携行用ハンドル構造の下方部分を互いに接続して両ハンドルパネルが前記接続部を中心に開かないようにするための固定手段を有することを特徴とするカートン。
【請求項４】
請求項３記載のカートンにおいて、該固定手段は前記頂部と一方のハンドルパネルとの接合部から切り出されたタブを備え、該タブが、対向する他方のハンドルパネルに近接して形成された開口の一つと係合することを特徴とするカートン。
【請求項５】
請求項４記載のカートンにおいて、前記ロック用タブが、前記頂部に形成された前記開口の一つと掛止し、かつ前記物品の一つの上部によって該開口内に保持されることを特徴とするカートン。
【請求項６】
複数の物品を収容するためのカートンブランクであって、第一の底部パネルと、第一の側壁パネルと、第一の頂部パネルと、各々手持ち用開口を備えた第一・第二のハンドルパネルと、第二の頂部パネルと、第二の側壁パネルと、第二の底部パネルとを備えて成り、これら各パネルは互いに折り曲げ可能に接続され、前記第一・第二の底部パネルは互いに連結することができ、これによって筒状構造のカートンを形成するとともに、立ち上がったハンドルを形成するための前記第一・第二のハンドルパネルは、ハンドルが、組み立てられた状態の該カートンの中央断面からずれるように配置されていることを特徴とするカートンブランク。
【請求項７】
請求項５又は６記載のカートンブランクにおいて、前記第一・第二の頂部パネルは、組み立てられたカートンによって保持された物品の首部をそれぞれ受け入れることができる複数の開口を備えていることをことを特徴とするカートンブランク。
【請求項８】
請求項７記載のカートンブランクにおいて、前記頂部パネルのうちの一つと前記ハンドルパネルの一つとの接合部から切り出されたタブを備え、該タブは、直立したハンドルを形成するために、他方の頂部パネルから切り出された前記開口のうち一つと係合できるよう構成されていることを特徴とするカートンブランク。
【発明の詳細な説明】
本発明は、複数の物品を収容しかつ上方に立ち上げられた携行用ハンドルを備えて成る巻き付きタイプ（wraparound type）のカートンに関する。
欧州特許文献EP 0 456 448は、頂部と、底部と、これら頂部及び底部を接続する一対の側壁部とを有して筒状構造を形成し、ボトル等の複数の物品を収納するカートンを開示している。このカートンは前記頂部から上方に延在した携行用ハンドルと、該携行用ハンドルを使用のために直立した状態に維持すべく該携行用ハンドルの下部において互いに対向したパネルどうしを拘束するロック用タブと、を有している。
本発明及びその好ましい実施の形態は、上記の従来技術に係る問題の全て又は少なくとも一部を解消せんとするものである。
本発明の一態様により、ボトル等の複数の物品を収容するカートンが提供される。該カートンは、頂部と、底部と、これら頂部及び底部を接続する一対の側壁とを備え、これにより筒状構造を形成している。前記頂部には、離間した二列に形成された複数の開口と携行用ハンドル構造とが設けられている。前記開口からは前記物品の上部が突出するようになっている。前記ハンドル構造は前記頂部から上方に延びた手持ち用開口を含んでいる。このカートンは、前記ハンドル構造が、前記開口が成す二列の間に位置しかつ前記開口列間の中央面からずれて配置されている。
本発明のこの態様の付加的な特徴によれば、前記ハンドル構造は、該カートンの前記頂部から離れた接続部で互いに折り曲げ可能に接続された一対の隣接したパネルを有することができる。この一対のパネルは上方に立ち上げられたハンドルを形成する。好ましくは、このハンドル構造は、該ハンドル構造の下方部分を互いに連結して両ハンドルパネルが前記接続部を中心に開かないようにするための固定手段を有することができる。さらに好ましくは、この固定手段は、前記頂部と前記両ハンドルパネルの一つとの接合部より切り出されたタブを備え、該タブが、他方のハンドルパネルに近接して形成された開口の一つと係合する。
本発明の態様の別の付加的特徴によれば、前記タブ（ロック用タブ）を前記頂部に形成された前記開口の一つに掛止し、かつ前記物品の一つの上部によって保持するようにもできる。
本発明の他の態様では、複数の物品を収容するためのカートンブランクが提供される。このカートンブランクは、第一の底部パネルと、第一の側壁パネルと、第一の頂部パネルと、共に手持ち用開口を有した第一・第二のハンドルパネルと、第二の頂部パネルと、第二の側壁パネルと、第二の底部パネルとを備えている。これらのパネルはその記載順に並べられ、かつ、隣り合う同士が互いに折り曲げ可能に接続されている。前記第一・第二の底部パネルは互いに接続することができ、これによって筒状構造となるカートンが形成される。ここで、立ち上がったハンドルを形成するための前記第一・第二のハンドルパネルは、ハンドルが、組み立てられた状態の該カートンの中央断面からずれるように配置されている。
本発明のこの態様の付加的な特徴によれば、前記第一・第二の頂部パネルは複数の開口を備えている。これら開口は各々、組み立てられたカートンによって保持された物品の頂部を受け入れることができる。
本発明のこの態様のさらなる付加特徴によれば、さらに、前記頂部パネルのうちの一つと前記ハンドルパネルの一つとの接合部から切り出されたタブを備えている。このタブは、直立したハンドルを形成するために、他方の頂部パネルから切り出された前記開口のうち一つと係合できるものとなっている。
以下、本発明の一実施形態を添付の図面を参照して説明する。
図１は本発明に係るカートンを形成するカートンブランクの平面図；
図２は、上方に立ち上げられたハンドルを備えるカートン中心部を示す斜視図；
図３は、本発明に係る完成されたカートンを、ロック用タブの一つを示すためにボトルを一本取り外した状態で示す斜視図である。
図面を参照すると、特に図１に示すように、ペーパーボードあるいは同様の折り曲げ可能なシート材料から形成された細長いブランク１０は、直列に配された底部構造１２と、第一の側部パネル１４と、中間パネル１５と、第一の頂部パネル１６と、第一のハンドルパネル１８と、第二のハンドルパネル２０と、第三のハンドルパネル２２と、第四のハンドルパネル２４と、第二の頂部パネル２６と、中間パネル２７と、第二の側部パネル２８及び第二の底部構造３０とを備え、これらは、折り曲げ線３２，３４，３６，３８，４０，４２，４４，４６，４８，５０，５２に沿って順次折り曲げ可能に接続されている。
前記底部構造１２，３０を形成する前記側部パネル１４，２８の下部と底部パネルは本発明に直接関係はなくかつ当分野では周知の構成であるので、これらについての詳細は省略する。
互いに離間しかつ並んだ状態で開口５４，５６，５８に受け入れられる三本のボトルの首部は頂部パネル１６から突出するものとなる。これら各開口はそれぞれ、ハンドルパネル１８の下部近傍にロック部５４ａ，５６ａ，５８ａを形成する形状とされている。同様に、同じく互いに離間しかつ並んだ状態で開口６０，６２，６４に受け入れられる三本のボトルも頂部パネル２６から部分的に突出する。ただし、これら開口６０，６２，６４は上記の如きロック部は有していない。
ロック用タブ６６，６８，７０がハンドルパネル２４から切り出され、かつ、ハンドルパネル２４の下端に折り曲げ線４６に沿って折り曲げ可能に接続されている。これらロック用タブはそれぞれＤ字形のロック用ヘッドを有し、これら各ロック用ヘッドはそれぞれロック用エッジ６６ａ，６８ａ，７０ａを有している。
両ハンドルパネル２０，２２にはそれぞれハンドル開口７２，７４が形成され、これら各開口はそれぞれクッション用フラップ７６，７８を有している。
ハンドルパネル１８，２０に隣接して補強パネル８０が位置している。この補強パネル８０は折り曲げ線８２に沿ってハンドルパネル２０に接続されている。この補強パネル８０は、折り曲げ線４０からハンドルパネル１８の両側縁の一つに延びる切断線８４によってハンドルパネル１８から切り離されている。ハンドルパネル２２，２４に隣接して補強パネル８６が位置している。この補強パネル８６は折り曲げ線８８に沿ってハンドル２２に接続されている。この補強パネル８６は、折り曲げ線４４からハンドルパネル２４の側縁に延びる切断線８９によってハンドルパネル２４から切り離されている。これら補強パネル８０，８６は双方が共有する側縁に沿って折り曲げ線９０によって折り曲げ可能に接続されている。
ハンドルパネル１８，２０における他方の側縁に隣接して補強パネル９２が位置している。この補強パネル９２は折り曲げ線９４に沿ってハンドルパネル２０に接続されている。この補強パネル９２は、折り曲げ線４０からハンドルパネル１８の側縁に延びる切断線９６によってハンドルパネル１８から切り離されている。ハンドルパネル２２，２４における他方の側縁に隣接して補強パネル９８が位置している。この補強パネル９８は折り曲げ線１００に沿ってハンドルパネル２２に折り曲げ可能に接続されている。この補強パネル９８は、折り曲げ線４４からハンドルパネル２４の側縁に延びる切断線１０２によってハンドルパネル２４から切り離されている。これら補強パネル９２，１０２は双方が共有する側縁に沿って折り曲げ線１０４によって折り曲げ可能に接続されている。
随意、開口１１０，１１２が補強パネル８０，８６、及び９２，９８の各共通端縁から切り出されており、そのため折り曲げ線４２は途切れている。これによって、以下に説明するように、カートン組立時の折曲げ操作がより容易なものとなっている。
図１ないし図３に示した本発明の携行器を完成させるには連続した折り曲げ及び貼着操作が必要である。折り曲げ操作は下記の説明のものに限定されるものではなく、製造条件により適宜変更可能である。
上記ブランクは、各列３本ずつで二列とされた６本のボトルの組の回りに巻き付けられ、その際、それらボトルの首部１１４が、図３に示すように、首部受け入れ開口から突出するようになっている。両ハンドルパネルは前記ボトルの列間に立ち上がるハンドルＨを形成する。
このカートンブランクをボトルに取り付けるには、まず、ハンドル補強パネル８０，８６を、それぞれ折り曲げ線８２，８８に沿って折り曲げ、ハンドルパネル１８，２０、及び２２，２４に重ねる。同様に、補強パネル９２，９８を折り曲げ線９４，１００に沿って折り曲げてハンドルパネル１８，２０、及び２２，２４に重ねる。
その後、ハンドルパネル１８，２０を互いに近接した状態に立ち上げ、これにより各ハンドル開口が互いに整列した状態にする。このとき、ロック用タブ６６，６８，７０を折り曲げ線４６を中心に１８０°折り曲げて、頂部パネル２６に重ねた状態にしておく。ハンドルパネル１８，２０を折り曲げ線４２に沿って折り曲げて、ハンドルパネル２２，２４にそれぞれ重ねる。これによりロック用タブ６６，６８，７０がそれぞれ開口５４，５６，５８と対応した位置にくる。
次いで各タブを各開口に係合させる。この際、各ロック用タブ６６，６８，７０の頭部が、そのロック用エッジ６６ａ，６８ａ，７０ａをロック部５４ａ，５６ａ，５８ａに掛止した状態で各開口５４，５６，５８から覗くものとなる。
次いで、頂部パネル１６，２６をハンドル構造と同一面内にあった状態から折り曲げ線３８，４６に沿って折り曲げる。その後にこのブランクを包装すべきボトル組に取り付ける。その際、ハンドルパネル１８，２０，２２，２４より形成されたハンドルＨは、図３に示すように、ボトルが構成する二つの列の間に、開口列の中間に位置する平面からオフセットした状態に配置されるものとなる。
各開口がこれに対応するボトルの首部の上方にくるようにカートンが配されているとき、ロック用タブ６６，６８，７０の頭部は、ボトルの首部が各開口５４，５６，５８に受け入れられるのを邪魔する位置にある。この状態でカートンブランクをボトルの首部に被せると、ロック用タブ６６，６８，７０の頭部が外方に折り曲げられ、ハンドルパネル１８とこれに近接したしたボトルの首部との間に配される。図３では、手前のボトルの端の一本を取り外して、ロック用タブ６６が外方に折り曲げられたときの位置を示している。このように、ハンドルパネル１８，２４はロック用タブ６６，６８，７０により互いに拘束されるため、使用中は事実上垂直状態に保たれる。
ハンドルＨが開口列間中央面からオフセットして配置されることによりロック用タブに生ずる応力は低減し、優れたハンドル強度が得られることが理解されるであろう。また、当業者であれば、本発明が、ロック用タブを含んだカートンの使用に限定されないことを理解するはずである。実際、「中心からずれた（off-centre）」ハンドルは、ロック用タブを持たないカートンにも適用することができる。「中心からずれた」ハンドルを使用することによってハンドル強度を向上させることができるのである。
このカートンは図３に示す状態とされて完成する。それには、側壁１４，２８を下方に折り曲げ、かつ底部構造１２，３０をボトルの底部の下で互いに重ねた状態として留める。図２に示す如き手のためのクッション構造Ｓが、互いにそろった二つのハンドル開口の間に設けられている。このクッション構造は、二つのハンドルパネルと重なり合う状態とされるフラップにより形成される。適宜、ハンドルパネル２０，２２は折り曲げ線４０／４４に沿って図２に示す略直角位置に折り曲げられ、これによりユーザーの使用感は向上する。便宜を図るため、ハンドル頂部は各ボトルのキャップよりも上方に位置している。従って、重ねる際には、ハンドルパネル２０，２２は折り曲げ線４０／４４に沿って折り曲げられ、かつ図３に示すようにボトルキャップＣに掛け留めされる。
上述した構成では、補強パネル８０，８６，９２，９８によってハンドル強度はさらに高められている。
このように、本発明及びその好ましい実施形態は物品携行器に関したものであり、該携行器は、複数本のボトルをしっかりと保持するのに充分な強度を持つものであるが、ハンドルに伝えられた荷重が該携行器によって吸収されるように、ある程度のフレキシビリティも備えている。このブランク形状により、必要なペーパーボードの量は最小のものとなっている。この携行器は、ボトル配列に手であるいは機械にて自動で取り付けることができる。本発明は種々の携行器に適用することができるものであり、上述した形態のものに限定されるものではない。
【図１】
0003923538.tif 000002
【図２】
0003923538.tif 000003
【図３】
0003923538.tif 000004